(57)【特許請求の範囲】
【請求項１】
第１の筐体と、
前記第１の筐体に対して回動可能に連結された第２の筐体と、
前記第２の筐体に配設され、アンテナ給電回路を有してなる基板と、
スプリングと、前記スプリングに挿通するように配設されて前記第２の筐体の前記第１の筐体に対する回動の軸をなすと共に、非導電性部分及び前記非導電性部分よりも前記スプリングから遠い側に位置する導電性部分を有するシャフトを内包し、かつ、前記シャフトの導電性部分が前記アンテナ給電回路に接続されてなるヒンジ部と
を備えたことを特徴とする無線装置。
【請求項２】
第１の筐体と、
前記第１の筐体に対して回動可能に連結された第２の筐体と、
前記第２の筐体に配設され、アンテナ給電回路を有してなる基板と、
スプリングと、非導電性材料からなるスプリング収納部と、前記スプリングに挿通するように配設されて前記第２の筐体の前記第１の筐体に対する回動の軸をなすと共に、非導電性部分及び前記非導電性部分よりも前記スプリングから遠い側に位置する導電性部分を有するシャフトを内包し、かつ、前記スプリング収納部の周囲に設けられた導電性の部分又は前記シャフトの導電性部分が前記アンテナ給電回路に接続されてなるヒンジ部と
を備えたことを特徴とする無線装置。
【請求項３】
前記シャフトの導電性部分は、前記シャフトの非導電性部分の周囲に形成された導体パターンを含むことを特徴とする請求項１又は請求項２に記載の無線装置。
【請求項４】
前記第１の筐体と前記第２の筐体の間に、前記ヒンジ部の前記スプリングに近い側を通して設けられた接続部材をさらに備えたことを特徴とする請求項１又は請求項２に記載の無線装置。
【請求項５】
前記スプリング収納部は周囲に導体パターンが形成され、前記導体パターンが前記アンテナ給電回路に接続されたことを特徴とする請求項２に記載の無線装置。
【請求項６】
第１の筐体と第２の筐体がヒンジ部を介して相互に回動可能に連結され、前記ヒンジ部はスプリングと、前記スプリングに挿通するように配設されて前記第２の筐体の前記第１の筐体に対する回動の軸をなすと共に、非導電性部分及び前記非導電性部分よりも前記スプリングから遠い側に位置する導電性部分を有するシャフトを内包してなる無線装置用のアンテナ装置において、
前記シャフトの導電性部分が前記第２の筐体に配設された基板の有するアンテナ給電回路に接続されてアンテナ素子を構成したことを特徴とするアンテナ装置。
【請求項７】
第１の筐体と第２の筐体がヒンジ部を介して相互に回動可能に連結され、前記ヒンジ部はスプリングと、非導電性材料からなるスプリング収納部と、前記スプリングに挿通するように配設されて前記第２の筐体の前記第１の筐体に対する回動の軸をなすと共に、非導電性部分及び前記非導電性部分よりも前記スプリングから遠い側に位置する導電性部分を有するシャフトを内包してなる無線装置用のアンテナ装置において、
前記スプリング収納部の周囲に設けられた導電性の部分又は前記シャフトの導電性部分が前記第２の筐体に配設された基板の有するアンテナ給電回路に接続されてアンテナ素子を構成したことを特徴とするアンテナ装置。
【請求項８】
前記シャフトの導電性部分は、前記シャフトの非導電性部分の周囲に形成された導体パターンを含むことを特徴とする請求項６又は請求項７に記載のアンテナ装置。
【請求項９】
前記スプリング収納部は周囲に導体パターンが形成され、前記導体パターンが前記アンテナ給電回路に接続されてアンテナ素子を構成したことを特徴とする請求項７に記載のアンテナ装置。
【発明の詳細な説明】
【技術分野】
【０００１】
本発明は無線装置及びアンテナ装置に係り、特に２以上の筐体が相互に回動可能に連結されて構成された無線装置及び該無線装置用のアンテナ装置に関する。
【背景技術】
【０００２】
近年の携帯電話機等の無線装置は、多機能、高性能化と小型、薄型化の要求を両立させるため、２筐体が開閉可能に連結されて構成されたものが主流を占めている。２筐体の接続には、折りたたみ型、２軸ヒンジを備えた折りたたみ型（ダブルスウィーベル型ともいう。）、スライド型等の方式が用いられている。これらのうち折りたたみ型及びダブルスウィーベル型はヒンジ部を備え、２筐体が該ヒンジ部を介して相互に回動可能に連結されて構成される。
【０００３】
一方、携帯電話機等の無線装置用のアンテナ装置は、従来の筐体外部に延伸されて使用されるホイップアンテナ等のタイプに代わって、筐体に内蔵されたタイプが主流である。このような筐体内蔵タイプのアンテナ装置を使用することにより、無線装置のデザイン性や操作性を向上させることができる。しかし、上述したように無線装置の多機能、高性能化と小型、薄型化が共に要求されることから、アンテナ装置は筐体内部の限定されたスペースに実装された状態で所要の性能を発揮しなければならないという課題の解決を求められている。
【０００４】
上述した課題を解決することを目的として、従来、ヒンジ部にアンテナを配設して構成された携帯無線機が知られている（例えば、特許文献１参照。）。上記の特許文献１に記載された携帯無線機は、第１の筐体と第２の筐体がヒンジ部により回動自在に連結されて構成される。該ヒンジ部に、ヒンジ軸を構成するヒンジコアが配設されている。
【０００５】
特許文献１によれば、上記のヒンジコアは、第２の筐体に機械的に固定されると共に第２の筐体の回路基板と電気的接続された第１部材と、第１の筐体に機械的に固定されているが第１の筐体の回路基板と電気的に未接続の第２部材が連結されて構成される。第１部材と第２部材は金属等の導電性部材により略円筒形状または略円柱形状に形成されている。このような構成により、上記のヒンジコアは、第１の筐体の回路基板とは非導通の状態で第２の筐体の回路基板からアンテナ素子として給電される。
【特許文献１】特開２００７−８８６９２号公報（第２、５、６ページ、図１）
【発明の開示】
【発明が解決しようとする課題】
【０００６】
上述した特許文献１に開示された携帯無線機は、ヒンジ軸を構成するヒンジコアの全部を導電性部材で構成し、アンテナ素子として給電するものである。特許文献１の明細書の段落「００２６」の記載によれば、該ヒンジコアは金属等の導電性部材により略円筒形状または略円柱形状に形成され、互いに回動する第２の筐体側の第１部材と第１の筐体側の第２部材が機械的に連結接続された構造を有する。該ヒンジコアは、所定の回動位置でクリック感が得られるように保持力を発生する機構と、自力で回動する回転力を発生する機構とを有している。
【０００７】
上記の「自力で回動する回転力を発生する機構」として、例えば回動軸の方向にスプリングを配設して回転抵抗を付加することが考えられる。スプリングは一般に金属製であって導電性を有し、２筐体相互の回動による開閉の状態（例えば折りたたみ型携帯電話における２筐体の開きの角度）によって形状が変化するとアンテナ特性にも影響する。開閉の状態は無線装置の利用目的に応じて変化することが普通であるから、上記のアンテナ特性への影響は好ましくないという問題がある。
【０００８】
本発明は上記問題を解決するためになされたもので、２筐体を連結するヒンジ部の部材を利用して構成されたアンテナ装置の特性が、２筐体の回動による開閉の状態の影響を受けにくくすることを目的とする。
【課題を解決するための手段】
【０００９】
上記目的を達成するために、本発明の無線装置は、第１の筐体と、前記第１の筐体に対して回動可能に連結された第２の筐体と、前記第２の筐体に配設され、アンテナ給電回路を有してなる基板と、スプリングと、前記スプリングに挿通するように配設されて前記第２の筐体の前記第１の筐体に対する回動の軸をなすと共に、非導電性部分及び前記非導電性部分よりも前記スプリングから遠い側に位置する導電性部分を有するシャフトを内包し、かつ、前記シャフトの導電性部分が前記アンテナ給電回路に接続されてなるヒンジ部とを備えたことを特徴とする。
【００１０】
また、本発明のアンテナ装置は、第１の筐体と第２の筐体がヒンジ部を介して相互に回動可能に連結され、前記ヒンジ部はスプリングと、前記スプリングに挿通するように配設されて前記第２の筐体の前記第１の筐体に対する回動の軸をなすと共に、非導電性部分及び前記非導電性部分よりも前記スプリングから遠い側に位置する導電性部分を有するシャフトを内包してなる無線装置用のアンテナ装置において、前記シャフトの導電性部分が前記第２の筐体に配設された基板の有するアンテナ給電回路に接続されてアンテナ素子を構成したことを特徴とする。
【発明の効果】
【００１１】
本発明によれば、２筐体を連結するヒンジ部の導電性の部分と非導電性の部分のスプリングとの位置関係に配慮すると共に、導電性の部分をアンテナ素子として用いることにより、ヒンジ部の部材を利用して構成されたアンテナ装置の特性が２筐体相互の回動による開閉の状態の影響を受けにくくすることができる。
【発明を実施するための最良の形態】
【００１２】
以下、図面を参照して本発明の実施例を説明する。なお以下の各図を参照しながら上下左右又は水平、垂直（鉛直）をいうときは、特に断らない限り、図が表された紙面における上下左右又は水平、垂直（鉛直）を意味するものとする。また、各図の間で同一の符号は、同一の構成を表すものとする。
【実施例１】
【００１３】
以下、図１ないし図５を参照して、本発明の実施例１を説明する。図１は、本発明の実施例１に係る無線装置１の主要な構成を表す図である。無線装置１は、第１筐体１０と第２筐体２０がヒンジ部３０（破線の楕円で囲んで表す。）を介して相互に回動可能に連結されて構成される。なお図１においては、見やすさを考慮し、第１筐体１０と第２筐体２０を平面的に表している（後掲する図３及び図６においても同じ。）。後で図３を参照して説明するように、第２筐体２０には基板２１（図１には図示せず。）が配設されている。
【００１４】
図２は、ヒンジ部３０の構成を表す図である。ヒンジ部３０は、第１筐体側部材３１（網掛けしない部分）と、第２筐体側部材３２（網掛けした部分）からなる。第１筐体側部材３１は、第１筐体取り付け部３１ａ（平板状に形成され取り付け孔を有する部分）、軸受け部３１ｂ（図の右側の円筒状に形成された部分）及びスプリング収納部３１ｃ（図の左側の円筒状に形成された部分）からなる。第１筐体取り付け部３１ａ、軸受け部３１ｂ及びスプリング収納部３１ｃは、非導電性材料からなる。
【００１５】
第１筐体側部材３１を構成する第１筐体取り付け部３１ａ、軸受け部３１ｂ及びスプリング収納部３１ｃは、相互の間に可動部分を持たず、機械的に一体である。第１筐体側部材３１は、第１筐体取り付け部３１ａが第１筐体１０に対して例えばねじ止めされることにより、第１筐体１０に対して機械的に固定される。
【００１６】
第２筐体側部材３２は、第２筐体取り付け部３２ａ（図の右側のＬ字型に形成された金網状網掛けの部分）、第２筐体取り付け部３２ｂ（図の左側の逆Ｌ字型に形成された金網状網掛けの部分）、シャフト導体部３２ｃ（シャフト状に形成されたうち右側の金網状網掛けの部分）、シャフト導体部３２ｄ（シャフト状に形成されたうち左側の金網状網掛けの部分）及びシャフト非導体部３２ｅ（シャフト状に形成されたうち金網状でない薄い網掛けの部分）からなる。第２筐体取り付け部３２ａ、第２筐体取り付け部３２ｂ、シャフト導体部３２ｃ及びシャフト導体部３２ｄは、導電性材料からなる。シャフト非導体部３２ｅは、非導電性材料からなる。
【００１７】
第２筐体側部材３２を構成する第２筐体取り付け部３２ａ、第２筐体取り付け部３２ｂ、シャフト導体部３２ｃ、シャフト導体部３２ｄ及びシャフト非導体部３２ｅは、相互の間に可動部分を持たず、機械的に一体である。第２筐体側部材３２は、第２筐体取り付け部３２ａ、３２ｂがそれぞれ第２筐体２０に対して例えばねじ止めされることにより、第２筐体２０に対して機械的に固定される。
【００１８】
軸受け部３１ｂは中空に形成され、シャフト導体部３２ｃの図示しない右側の端部を収容している。スプリング収納部３１ｃは中空に形成されてスプリング３３（点線で表す。）を収納し、シャフト導体部３２ｄの図示しない左側の端部をスプリング３３に挿通させて収容している。
【００１９】
シャフト導体部３２ｃ、シャフト導体部３２ｄ及びシャフト非導体部３２ｅは１本のシャフトを形成し、軸受け部３１ｂ及びスプリング収納部３１ｃに軸支されて、該シャフトの長手方向の周りに回転することができる。このようなヒンジ部３０の構造により、第１筐体１０及び第２筐体２０は、該シャフトの長手方向の周りに相互に回動して開閉されることができるように連結される。
【００２０】
スプリング収納部３１ｃに収納されたスプリング３３の作用によって上記の回動における回転抵抗が付与され、例えば第１筐体１０及び第２筐体２０を相互に閉じるときに適度な抵抗感を与えたり、相互に開くときにある程度自然に開くような操作感を持たせたりすることができる。スプリング収納部３１ｃは、第１筐体１０及び第２筐体２０の相互の開閉操作に適度なクリック感を付与することができる機構を備えてもよい。
【００２１】
図３は、ヒンジ部３０の第２筐体取り付け部３２ａを介してシャフト導体部３２ｃに対してアンテナ給電するための接続を表す図である。第２筐体２０には、基板２１が配設されている。基板２１は無線回路２２を搭載し、無線回路２２は例えば同軸ケーブルからなる給電線２３を介して第２筐体取り付け部３２ａに接続されている。すなわち、無線回路２２と給電線２３がアンテナ給電回路を構成し、第２筐体取り付け部３２ａの下端が給電点となる。なお、図３に表した他の構成は、図１又は図２に同一の符号を付して表したものとそれぞれ同じであるから説明を省略する。
【００２２】
上述した接続により、無線回路２２は第２筐体取り付け部３２ａ及びシャフト導体部３２ｃをアンテナ素子として給電し励振することができる。該アンテナ素子が不平衡給電される場合は、基板２１の図示しない接地回路に流れる不平衡電流も電磁波の放射源として作用するアンテナ装置を構成することができる。
【００２３】
仮に上述したヒンジ部３０のシャフトの全部が導電性材料で形成され、アンテナ素子として給電されたとすると、該アンテナ素子はスプリング収納部３１ｃに収納されたスプリング３３に近接する。スプリング３３は導電性材料で形成されており、第１筐体と第２筐体２０の相互の回動に伴って形状が変化するため、アンテナ特性に影響を与える可能性がある。
【００２４】
上述した実施例１の構成によれば、ヒンジ部３０のシャフトのうちスプリング３３から遠い側に位置するシャフト導体部３２ｃを第２筐体取り付け部３２ａと共にアンテナ素子として用いるから、スプリング３３の形状変化によるアンテナ特性への影響を抑えることができる。
【００２５】
図４及び図５を参照して、実施例１に係るアンテナ装置の特性の一例を説明する。図４は、該アンテナ装置の特性をシミュレーションにより評価するためのモデルを表す図である。図中の符号１０、２０、３２ａないし３２ｄを付して表した構成及び相互の位置関係は、それぞれ若干の形状の変更を別にして図３と共通とする。なお、第１筐体１０及び第２筐体２０はそれぞれヒンジ部３０に近い側の一部のみを示す。また、図４のモデルにおけるシャフト導体部３２ｃ、３２ｄ間のギャップは、図２又は図３のシャフト非導体部３２ｅに相当する。
【００２６】
図４において符号３５を付して表した構成は、第１筐体１０と第２筐体２０の間にヒンジ部３０を通して設けられた、例えばフレキシブル基板のような接続部材である。接続部材３５は、ヒンジ部３０のうち第２筐体取り付け部３２ｂ及びシャフト導体部３２ｄの方に近い側を通している。図３を併せて参照すると、接続部材３５はヒンジ部３０のスプリング収納部３１ｃに収納されたスプリング３３（図４には図示せず。）に近い側を通している。
【００２７】
図４に表した構成によれば、接続部材３５は、ヒンジ部３０のうちアンテナ素子として励振される第２筐体取り付け部３２ａ及びシャフト導体部３２ｃから遠い側を通して配設されるから、接続部材３５を通過する電気信号とアンテナ素子との間の干渉を抑えることができる。
【００２８】
図５は、図４に表した評価モデルの給電点における電圧定在波比（ＶＳＷＲ）の周波数特性を、シミュレーションにより求めて表す図である。図５の横軸は周波数（単位はギガヘルツ（ＧＨｚ））、縦軸はＶＳＷＲを表す。図５によれば、当該評価モデルは２．２ＧＨｚないし５ＧＨｚの周波数帯においてＶＳＷＲが３以下の良好な特性を示し、例えば無線ローカルエリアネットワーク（ＷＬＡＮ）、ブルートゥース、超広帯域無線（ＵＷＢ）等のアンテナとして用いることができる。
【００２９】
本発明の実施例１によれば、無線装置の２筐体が相互に回動して開閉するための軸に当るシャフトを導体部と非導体部に分け、開閉の状態によって形状を変えるスプリングから遠い方の導体部をアンテナ素子として励振することにより、開閉の状態に特性が影響されにくくスペース効率に優れたアンテナ装置を構成することができる。
【実施例２】
【００３０】
以下、図６ないし図８を参照して、本発明の実施例２を説明する。図６は、本発明の実施例２に係る無線装置５の主要な構成及び接続を表す図である。無線装置５は、実施例１で説明したのと同じ第１筐体１０と第２筐体２０がヒンジ部５０（破線の楕円で囲んで表す。）を介して回動可能に連結されて構成される。第２筐体２０には、実施例１で説明したのと同じ基板２１が配設されている。
【００３１】
ヒンジ部５０は、第１筐体側部材５１（網掛けしない部分）と、第２筐体側部材５２（網掛けした部分）からなる。第１筐体側部材５１は、第１筐体取り付け部５１ａ（平板状に形成され取り付け孔を有する部分）、軸受け部５１ｂ（図の右側の円筒状に形成された部分）及びスプリング収納部５１ｃ（図の左側の円筒状に形成された部分）からなる。第１筐体取り付け部５１ａ、軸受け部５１ｂ及びスプリング収納部５１ｃは、非導電性材料からなる。
【００３２】
第１筐体側部材５１を構成する第１筐体取り付け部５１ａ、軸受け部５１ｂ及びスプリング収納部５１ｃは、相互の間に可動部分を持たず、機械的に一体である。第１筐体側部材５１は、第１筐体取り付け部５１ａが第１筐体１０に対して例えばねじ止めされることにより、第１筐体１０に対して機械的に固定される。以上の説明から明らかなように、第１筐体側部材５１は実施例１で説明した第１筐体側部材３１と同じものと考えることができる。
【００３３】
第２筐体側部材５２は、第２筐体取り付け部５２ａ（図の右側のＬ字型に形成された金網状網掛けの部分）、第２筐体取り付け部５２ｂ（図の左側の逆Ｌ字型に形成された金網状網掛けの部分）及びシャフト部５２ｃ（シャフト状に形成された薄い網掛けの部分）からなる。第２筐体取り付け部５２ａ及び５２ｂは、導電性材料からなる。シャフト部５２ｃは、非導電性材料からなる。シャフト部５２ｃの表面には、例えばヘリカル状（スパイラル状）をなして導体パターン５２ｄが形成されている。導体パターン５２ｄの一端は、第２筐体取り付け部５２ａに接続されている。
【００３４】
第２筐体側部材５２を構成する第２筐体取り付け部５２ａ、第２筐体取り付け部５２ｂ及びシャフト部５２ｃは、相互の間に可動部分を持たず、機械的に一体である。第２筐体側部材５２は、第２筐体取り付け部５２ａ、５２ｂがそれぞれ第２筐体２０に対して例えばねじ止めされることにより、第２筐体２０に対して機械的に固定される。
【００３５】
軸受け部５１ｂは中空に形成され、シャフト部５２ｃの図示しない右側の端部を収容している。スプリング収納部５１ｃは中空に形成されてスプリング５３（点線で表す。）を収納し、シャフト部５２ｃの図示しない左側の端部をスプリング５３に挿通させて収容している。
【００３６】
シャフト部５２ｃは１本のシャフトを形成し、軸受け部５１ｂ及びスプリング収納部５１ｃに軸支されて、該シャフトの長手方向の周りに回転することができる。このようなヒンジ部５０の構造により、第１筐体１０及び第２筐体２０は、該シャフトの長手方向の周りに相互に回動して開閉されることができるように連結される。
【００３７】
実施例１で説明したのと同様に、スプリング収納部５１ｃに収納されたスプリング５３の作用によって上記の回動における回転抵抗が付与され、例えば第１筐体１０及び第２筐体２０を相互に閉じるときに適度な抵抗感を与えたり、相互に開くときにある程度自然に開くような操作感を持たせたりすることができる。また、スプリング収納部５１ｃは、第１筐体１０及び第２筐体２０の相互の開閉操作に適度なクリック感を付与することができる機構を備えてもよい。
【００３８】
実施例１で説明したのと同様に、基板２１は無線回路２２を搭載し、無線回路２２は例えば同軸ケーブルからなる給電線２３を介して第２筐体取り付け部５２ａに接続されている。すなわち、無線回路２２と給電線２３がアンテナ給電回路を構成し、第２筐体取り付け部５２ａの下端が給電点となる。
【００３９】
上述した接続により、無線回路２２は第２筐体取り付け部５２ａ及び導体パターン５２ｄをアンテナ素子として給電し励振することができる。該アンテナ素子が不平衡給電される場合は、基板２１の図示しない接地回路に流れる不平衡電流も電磁波の放射源として作用するアンテナ装置を構成することができる。当該アンテナ装置の構成によれば、ヒンジ部５０のシャフトにおいてスプリング収納部５１ｃに収納されたスプリング５３から遠い側に位置する導体パターン５２ｄを第２筐体取り付け部５２ａと共にアンテナ素子として用いるから、スプリング５３の形状変化によるアンテナ特性への影響を抑えることができる。
【００４０】
図７及び図８を参照して、実施例２に係るアンテナ装置の特性の一例を説明する。図７は、該アンテナ装置の特性をシミュレーションにより評価するためのモデルを表す図である。図中の符号１０、２０、５２ａないし５２ｄを付して表した構成及び相互の位置関係は、それぞれ若干の形状の変更を別にして図６と共通とする。なお、第１筐体１０及び第２筐体２０はそれぞれヒンジ部５０に近い側の一部のみを示す。
【００４１】
図７において符号５５を付して表した構成は、第１筐体１０と第２筐体２０の間にヒンジ部５０を通して設けられた、例えばフレキシブル基板のような接続部材である。接続部材５５は、ヒンジ部５０のうち第２筐体取り付け部５２ｂの方に近い側を通している。図６を併せて参照すると、接続部材５５はヒンジ部５０のスプリング収納部５１ｃに収納されたスプリング５３（図７には図示せず。）に近い側を通している。
【００４２】
図７に表した構成によれば、接続部材５５は、ヒンジ部５０のうちアンテナ素子として励振される導体パターン５２ｄから遠い側を通して配設されるから、接続部材５５を通過する電気信号とアンテナ素子との間の干渉を抑えることができる。
【００４３】
図８は、図７に表した評価モデルの給電点における電圧定在波比（ＶＳＷＲ）の周波数特性を、シミュレーションにより求めて表す図である。図８の横軸は周波数（単位はＧＨｚ）、縦軸はＶＳＷＲを表す。図８によれば、当該評価モデルは２．２ＧＨｚ以上の周波数帯で良好なＶＳＷＲ特性を示すのに加えて、８００ＭＨｚ帯（セルラ方式携帯電話の周波数帯の一つ）において３以下の良好なＶＳＷＲ特性を示す。
【００４４】
本発明の実施例２によれば、無線装置の２筐体が相互に回動して開閉するための軸に当るシャフトを非導電性材料により形成し、開閉の状態によって形状を変えるスプリングから遠い方の該シャフトの表面に形成した導体パターンをアンテナ素子として励振することにより、開閉の状態に特性が影響されにくくスペース効率に優れたアンテナ装置を構成することができる。また導体パターンの長さや形状を選ぶことにより、アンテナ設計の自由度を高めることができる。なおアンテナ素子用の導体パターンを形成する場所は必ずしもシャフトの表面に限定されるものではなく、ヒンジ部を構成する非導電性部材の表面であればアンテナ素子形成の可能性がある。
【実施例３】
【００４５】
以下、図９ないし図１２を参照して、本発明の実施例３を説明する。図９は、本発明の実施例３に係る無線装置６の主要な構成及び接続を表す図である。無線装置６は、実施例１で説明したのと同じ第１筐体１０と第２筐体２０がヒンジ部６０（破線の楕円で囲んで表す。）を介して回動可能に連結されて構成される。第２筐体２０には、実施例１で説明したのと同じ基板２１が配設されるが図示は省略する。
【００４６】
ヒンジ部６０は、第１筐体側部材６１と、第２筐体側部材６２からなる。第１筐体側部材６１は、第１筐体取り付け部６１ａ（平板状に形成され取り付け孔を有する部分）、軸受け部６１ｂ（図の右側の円筒状に形成された部分）及びスプリング収納部６１ｃ（図の左側の円筒状に形成された部分）からなる。
【００４７】
第１筐体取り付け部６１ａ及び軸受け部６１ｂは、非導電性材料からなる。スプリング収納部６１ｃは、後で図１０を参照して説明するように一部に導電性の材料を有して形成される。第１筐体側部材６１は、上記のスプリング収納部６１ｃの導電性の有無を除いて、実施例１で説明した第１筐体側部材３１と同じものと考えることができる。
【００４８】
第２筐体側部材６２は、第２筐体取り付け部６２ａ、第２筐体取り付け部６２ｂ、シャフト導体部６２ｃ、シャフト導体部６２ｄ及びシャフト非導体部６２ｅからなる。第２筐体側部材６２は、実施例１で説明した第２筐体側部材３２と同じものである。
【００４９】
図１０は、第２筐体２０のなす面に垂直であって第２筐体２０の長手方向に平行な面内におけるスプリング収納部６１ｃの断面図である。スプリング収納部６１ｃは、例えば樹脂等の非導電性部分６１ｃ−０が中空に形成され、円筒状の外表面に導体部分６１ｃ−１が例えばめっきされて構成される。スプリング収納部６１ｃは非導電性部分６１ｃ−０の中空の内部にスプリング６３を収納し、図９に表したシャフト導体部６２ｄの図示しない左側の端部をスプリング６３に挿通させて収容している。
【００５０】
ヒンジ部６０は、上述した構造により、実施例１又は実施例２に係るヒンジ部と同様に、第１筐体１０及び第２筐体２０の相互の回動とその際の適度な抵抗感や操作感の付与を可能にしている。
【００５１】
図９において第２筐体２０は図示しないアンテナ給電回路を内蔵し、第２筐体取り付け部６２ｂの下端に設けた給電点２５において、導電性材料からなる第２筐体取り付け部６２ｂ及びスプリング収納部６１ｃの導体部分６１ｃ−１に対して給電することができる。その場合、スプリング収納部６１ｃの導体部分６１ｃ−１がアンテナ素子として作用する。導体部分６１ｃ−１とスプリング６３の間に非導電性部分６１ｃ−０が介在するので、第１筐体と第２筐体２０の相互の回動に伴うスプリング６３の形状変化がアンテナ特性に与える影響を抑制することができる。
【００５２】
この際、第１筐体１０と第２筐体２０の間にヒンジ部６０を通して設けられた図示しない接続部材は、アンテナ素子から遠ざけるためヒンジ部６０のうち第２筐体取り付け部６２ａ及びシャフト導体部６２ｃの方に近い側を通すことが好ましい。
【００５３】
図１１及び図１２は、上述した各実施例と異なる変形例に係る無線装置の主要な構成及び接続を表す図である。該無線装置は、実施例１で説明したのと同じ第１筐体１０と第２筐体２０がヒンジ部７０（破線の楕円で囲んで表す。）を介して回動可能に連結されて構成される。
【００５４】
ヒンジ部７０は、上述した各実施例に係るヒンジ部と異なり、第１筐体側部材７１の主要な部分が例えば外表面に導体部分をメッキされて構成され、図１１において左端に設けられた給電点１５において図示しないアンテナ給電回路により給電されるアンテナ素子を構成する。図１２は、第１筐体側部材７１の右端に給電点１５が設けられた場合を表す。このように、第１筐体側部材７１をアンテナ素子として用いることも可能である。
【００５５】
本発明の実施例３によれば、実施例１又は実施例２とは異なるヒンジ部の構成部材もアンテナ素子として利用することができるという、付加的な効果が得られる。
【００５６】
以上の実施例の説明において、無線装置、ヒンジ部及びアンテナ装置の構成、形状、接続、その他の部材の形状、配置等は例示であり、本発明の要旨を逸脱しない範囲でさまざまな変形が可能である。例えば、無線装置の筐体構成はいわゆる折りたたみ型に限定されるものではなく、２の筐体が相互に回動可能に連結されたいかなる構成にも本発明を適用することができる。
【図面の簡単な説明】
【００５７】
【図１】本発明の実施例１に係る無線装置の主要な構成を表す図。
【図２】実施例１に係る無線装置のヒンジ部の構成を表す図。
【図３】実施例１に係る無線装置のヒンジ部の一部にアンテナ給電するための接続を表す図。
【図４】実施例１に係るアンテナ装置の特性をシミュレーションにより評価するためのモデルを表す図。
【図５】実施例１に係るアンテナ装置の図４に表した評価モデルのＶＳＷＲ特性の一例を表す図。
【図６】本発明の実施例２に係る無線装置の主要な構成及び接続を表す図。
【図７】実施例２に係るアンテナ装置の特性をシミュレーションにより評価するためのモデルを表す図。
【図８】実施例２に係るアンテナ装置の図７に表した評価モデルのＶＳＷＲ特性の一例を表す図。
【図９】本発明の実施例３に係る無線装置の主要な構成を表す図。
【図１０】実施例３に係るスプリング収納部の断面図。
【図１１】本発明の実施例１ないし３と異なる変形例に係る無線装置の主要な構成及び接続を表す第１の図。
【図１２】本発明の実施例１ないし３と異なる変形例に係る無線装置の主要な構成及び接続を表す第２の図。
【符号の説明】
【００５８】
１、５  無線装置
１０  第１筐体
１５、２５  給電点
２０  第２筐体
２１  基板
２２  無線回路
２３  給電線
３０、５０、６０、７０  ヒンジ部
３１、５１、６１、７１  第１筐体側部材
３１ａ、５１ａ、６１ａ  第１筐体取り付け部
３１ｂ、５１ｂ、６１ｂ  軸受け部
３１ｃ、５１ｃ、６１ｃ  スプリング収納部
３２ａ、３２ｂ、５２ａ、５２ｂ、６２ａ、６２ｂ  第２筐体取り付け部
３２ｃ、３２ｄ、６２ｃ、６２ｄ  シャフト導体部
３２ｅ、６２ｅ  シャフト非導体部
３３、５３、６３  スプリング
５２ｃ  シャフト部
５２ｄ  導体パターン
３５、５５  接続部材
【要約】
【課題】２筐体が相互に回動可能に連結された無線装置のスペース効率を高めるためヒンジ部にアンテナを内蔵して、回動による開閉の状態の影響を受けにくくする。
【解決手段】無線装置１は、第１筐体１０と第２筐体２０がヒンジ部３０を介して相互に回動可能に連結されて構成される。ヒンジ部３０は、第１筐体取り付け部３１ａ、軸受け部３１ｂ及びスプリング収納部３１ｃからなる第１筐体側部材３１と、第２筐体取り付け部３２ａ、３２ｂ、シャフト導体部３２ｃ、３２ｄ及びシャフト非導体部３２ｅからなる第２筐体側部材３２から構成され、上記の３２ｃ、３２ｄ及び３２ｅが１のシャフトを形成して軸受け部３１ｂ及びスプリング収納部３１ｃに軸支される。基板２１に設けられた無線回路２２から給電線２３を介して、スプリング収納部３１ｃに収納されたスプリング３３から遠い側の導電性を有する第２筐体取り付け部３２ａ及びシャフト導体部３２ｃに給電する。
【選択図】図３【図１】
0004279334.tif 000002
【図２】
0004279334.tif 000003
【図３】
0004279334.tif 000004
【図４】
0004279334.tif 000005
【図５】
0004279334.tif 000006
【図６】
0004279334.tif 000007
【図７】
0004279334.tif 000008
【図８】
0004279334.tif 000009
【図９】
0004279334.tif 000010
【図１０】
0004279334.tif 000011
【図１１】
0004279334.tif 000012
【図１２】
0004279334.tif 000013